(57)【要約】【課題】複数の無線制御装置のそれぞれにより互いに異なる通信方式で無線通信を行う際に、アンテナの本数を減らすことができる通信端末を提供する。【解決手段】本発明の一実施形態に係る携帯電話機１０は、１ｘ方式により１本のアンテナを用いて無線通信を行う１ｘ通信制御部２１と、ＥＶＤＯ方式により無線通信を行うとともにこの無線通信におけるデータの送受信を２本のアンテナを用いてダイバーシティ方式で行うＥＶＤＯ通信制御部２２と、を有する。また、携帯電話機１０は、ＥＶＤＯ通信制御部に接続されたＥＶＤＯ用アンテナ２４と、１ｘ通信制御部２１およびＥＶＤＯ通信制御部２２により共用される共用アンテナ２３を有する。また、携帯電話機１０は、１ｘ通信制御部２１およびＥＶＤＯ通信制御部２２により制御され、共用アンテナ２３と１ｘ通信制御部２１およびＥＶＤＯ通信制御部２２の一方との電気的接続を切り替える切替部２５を有する。【選択図】  図２
2012060393.tif 000002
【特許請求の範囲】
【請求項１】
第１の通信方式により１本のアンテナを用いて無線通信を行う第１の通信制御部と、
第２の通信方式により無線通信を行うとともに、この無線通信におけるデータの送受信を２本のアンテナを用いてダイバーシティ方式で行う第２の通信制御部と、
前記第２の通信制御部に接続された第２通信用アンテナと、
前記第１の通信制御部および前記第２の通信制御部により共用される共用アンテナと、
前記第１の通信制御部および前記第２の通信制御部により制御され、前記共用アンテナと前記第１の通信制御部および前記第２の通信制御部の一方との電気的接続を切り替える切替部と、
を備えたことを特徴とする通信端末。
【請求項２】
前記切替部は、
前記第１の通信制御部および前記第２の通信制御部により前記電気的接続の切り替えを制御され、前記第１の通信制御部が無線通信を行う場合は前記共用アンテナと前記第１の通信制御部とを接続し、前記第１の通信制御部が無線通信を行わないとともに前記第２の通信制御部が無線通信を行う場合は前記共用アンテナと前記第２の通信制御部とを接続する、
請求項１記載の通信端末。
【請求項３】
前記第１の通信制御部は、
前記第１の通信方式による無線通信を行うとともに、前記第２の通信制御部によるデータ送受信の制御および前記第２の通信制御部が送受信するデータの処理を行い、
前記第２の通信制御部は、
前記第１の通信制御部に制御されて前記第２の通信方式による無線通信でデータの送受信を行うとともに受信したデータを前記第１の通信制御部に与え、
前記切替部は、
前記第１の通信制御部により前記電気的接続の切り替えおよび電力供給を制御され、前記第１の通信制御部がシステムスリープ状態であると電力供給を停止され、前記第１の通信制御部が前記第１の通信方式による無線通信を行う際には電力を供給されるとともに前記共用アンテナと前記第１の通信制御部とを接続し、前記第１の通信制御部が前記第１の通信方式による無線通信を行っていないとともに前記第２の通信制御部が前記第２の通信方式による無線通信でデータの送受信を行う際には電力を供給されるとともに前記共用アンテナと前記第２の通信制御部とを接続する、
請求項２記載の通信端末。
【請求項４】
前記第１の通信制御部は、
前記第１の通信方式による無線通信を行う第１通信部と、
前記第２の通信方式による無線通信におけるデータの送受信を制御しこの送受信されるデータの処理を行う第２通信処理部と、
前記切替部の前記電気的接続の切り替えを制御する切替制御部と、
前記切替部に対する電力供給を制御する切替電力制御部と、
システムスリープ状態と、前記第１通信部がスリープ状態である一方少なくとも前記第２通信処理部、前記切替制御部および前記切替電力制御部が起動状態であるシステムアイドル状態と、通常起動状態と、の複数の起動状態のいずれかで前記第１の通信制御部の起動状態を制御する起動状態制御部と、
を有し、
前記第２の通信制御部は、
前記第１の通信制御部に制御され、前記共用アンテナおよび前記第２通信用アンテナを用いて前記第２の通信方式による無線通信でデータの送受信を行うとともに受信したデータを前記第１の通信制御部に与える第２通信部、
を有し、
前記第１の通信制御部の前記起動状態制御部は、
前記システムスリープ状態において前記第２の通信方式で無線通信を行うべき旨の要求があると前記第１の通信制御部の前記起動状態を前記システムアイドル状態へ移行するとともに、前記第１の通信方式で無線通信を行うべき旨の要求があると前記起動状態を前記通常起動状態へ移行し、
前記切替部は、
前記切替電力制御部および前記切替制御部により電力供給および前記電気的接続の切り替えをそれぞれ制御され、前記第１の通信制御部が前記システムスリープ状態であると電力供給を停止され、前記第１の通信制御部が前記通常起動状態であると電力を供給されるとともに前記共用アンテナと前記第１の通信制御部とを接続し、前記第１の通信制御部が前記第２の通信方式で無線通信を行うべき旨の要求を受けて前記システムスリープ状態から前記システムアイドル状態へ移行すると電力を供給されるとともに前記共用アンテナと前記第２の通信制御部とを接続する、
請求項２記載の通信端末。
【請求項５】
前記第１の通信方式は、ＣＤＭＡ２０００＿１ｘであり、
前記第２の通信方式は、ＣＤＭＡ２０００＿１ｘＥＶＤＯである、
請求項１ないし４のいずれか１項に記載の通信端末。
【発明の詳細な説明】
【技術分野】
【０００１】
本発明の実施形態は、通信端末に関する。
【背景技術】
【０００２】
携帯電話機などの通信端末には、１台で複数の通信方式による通信が可能なものがある。たとえば、携帯電話機には、１台でＣＤＭＡ２０００＿１ｘ方式（以下、１ｘ方式という）とＣＤＭＡ２０００＿１ｘＥＶＤＯ方式（以下、ＥＶＤＯ方式という）との２つの通信方式による通信が可能なものがある。
【０００３】
この種の通信端末は、１つの無線制御装置によって複数の通信方式による通信を行うようになっている。
【先行技術文献】
【特許文献】
【０００４】
【特許文献１】特開２０１０−３５０６２号公報
【発明の概要】
【発明が解決しようとする課題】
【０００５】
たとえば１つの無線制御装置によって２つの通信方式による通信を行う場合、一方の通信方式による通信と他方の通信方式による通信とは時間によって調整されることが多い。そこで、通信方式の選択の自由度を向上させるために、通信方式ごとに無線制御装置を用いることが考えられる。しかし、複数の無線制御装置を用いると、１つの無線制御装置を用いる場合に比べて無線制御装置ごとにアンテナを設ける必要が生じてしまい、アンテナの本数が増えてしまう。
【課題を解決するための手段】
【０００６】
本発明の一実施形態に係る通信端末は、上述した課題を解決するために、第１の通信制御部と、第２の通信制御部と、第２通信用アンテナと、共用アンテナと、切替部と、を備えるものである。第１の通信制御部は、第１の通信方式により１本のアンテナを用いて無線通信を行う。第２の通信制御部は、第２の通信方式により無線通信を行うとともに、この無線通信におけるデータの送受信を２本のアンテナを用いてダイバーシティ方式で行う。第２通信用アンテナは、第２の通信制御部に接続される。共用アンテナは、第１の通信制御部および第２の通信制御部により共用される。切替部は、第１の通信制御部および第２の通信制御部により制御され、共用アンテナと第１の通信制御部および第２の通信制御部の一方との電気的接続を切り替える。
【図面の簡単な説明】
【０００７】
【図１】本発明の第１実施形態に係る通信端末の一構成例を示す斜視図。
【図２】第１実施形態に係る携帯電話機の通信ユニットの一構成例を概略的に示すブロック図。
【図３】第１実施形態に係る携帯電話機の１ｘ通信制御部およびＥＶＤＯ通信制御部の起動状態と切替部の切替先との関係の一例を示す説明図。
【図４】第１実施形態に係る携帯電話機の通信ユニットの変形例を示すブロック図。
【図５】第２実施形態に係る携帯電話機の通信ユニットの一構成例を概略的に示すブロック図。
【図６】第２実施形態に係る携帯電話機の１ｘ通信制御部およびＥＶＤＯ通信制御部の起動状態と切替部の切替先との関係の一例を示す説明図。
【発明を実施するための形態】
【０００８】
本発明に係る通信端末の実施の形態について、添付図面を参照して説明する。
（第１の実施形態）
【０００９】
図１は、本発明の第１実施形態に係る通信端末の一構成例を示す斜視図である。なお、本実施形態では、本発明に係る通信端末として携帯電話機を用いる場合の一例について示す。また、通信端末は、１台で複数の通信方式による通信が可能な端末であれば携帯電話機に限られず、たとえばＰＤＡ（Personal Digital Assistant）、パーソナルコンピュータ、携帯型ゲーム機、携帯型音楽再生機、携帯型動画再生機などでもよい。
【００１０】
携帯電話機１０の正面の表面上には、タッチパネル１１、レシーバ１２、マイクロフォン１３およびタッチキー１４が設けられる。また、携帯電話機１０の側面の一部には、ユーザによるシステムの起動指示や終了指示などの各種指示を受け付けるためのハードキー１５が設けられる。
【００１１】
図２は、第１実施形態に係る携帯電話機１０の通信ユニット２０の一構成例を概略的に示すブロック図である。
【００１２】
携帯電話機１０は、通信ユニット２０により１台で複数の通信方式による通信が可能に構成される。以下の説明では、携帯電話機１０が１台で１ｘ方式（ＣＤＭＡ２０００＿１ｘ方式）とＥＶＤＯ方式（ＣＤＭＡ２０００＿１ｘＥＶＤＯ方式）との２つの通信方式による通信が可能である場合の例について示す。
【００１３】
通信ユニット２０は、１ｘ通信制御部２１、ＥＶＤＯ通信制御部２２、共用アンテナ２３、ＥＶＤＯ用アンテナ２４、切替部２５および切替電源２６を有する。
【００１４】
１ｘ通信制御部２１は、１ｘ方式により１本の共用アンテナ２３を用いて無線通信にて図示しない基地局とデータ送受信および音声データの送受信を行うとともに、切替部２５の電気的接続の切り替えを制御する。また、１ｘ通信制御部２１は、携帯電話機１０の処理全般を担う。
【００１５】
ＥＶＤＯ通信制御部２２は、ＥＶＤＯ方式により共用アンテナ２３およびＥＶＤＯ用アンテナ２４の２本のアンテナを用いて無線通信にて図示しない基地局とダイバーシティ方式でデータ送受信を行うとともに、切替部２５の電気的接続の切り替えを制御する。
【００１６】
共用アンテナ２３は、切替部２５と接続される。切替部２５は、１ｘ通信制御部２１およびＥＶＤＯ通信制御部２２により制御されて、共用アンテナ２３の電気的接続先を１ｘ通信制御部２１およびＥＶＤＯ通信制御部２２のいずれか一方に切り替える。
【００１７】
この切替部２５は、切替電源２６から電力を供給される。本実施形態では、切替部２５は、切替電源２６から常時電力供給を受けるようになっている。
【００１８】
１ｘ通信制御部２１およびＥＶＤＯ通信制御部２２はそれぞれ、ＣＰＵ、ＲＡＭおよびＲＯＭなどの記憶媒体を少なくとも備えたワンチップコントローラである。ＣＰＵは、ＲＯＭなどの記憶媒体に記憶されたプログラムおよびプログラムの実行のために必要なデータをＲＡＭへロードし、プログラムに従って、各種処理を実行する。
【００１９】
ＲＡＭは、ＣＰＵが実行するプログラムおよびデータを一時的に格納するワークエリアを提供する。ＲＯＭなどの記憶媒体は、各種プログラムを実行するために必要な各種データを記憶する。なお、ＲＯＭなどの記憶媒体は、磁気的もしくは光学的記録媒体または半導体メモリなどの、ＣＰＵにより読み取り可能な記録媒体を含んだ構成を有し、これら記憶媒体内のプログラムおよびデータの一部または全部は電子ネットワークを介してダウンロードされるように構成してもよい。
【００２０】
図２に示すように、１ｘ通信制御部２１のＣＰＵは、ＲＯＭなどの記憶媒体に記憶されたプログラムによって、少なくとも１ｘ通信部３１、切替制御部３２および起動状態制御部３３として機能する。この各部３１〜３３は、ＲＡＭの所要のワークエリアを、データの一時的な格納場所として利用する。
【００２１】
また、ＥＶＤＯ通信制御部２２のＣＰＵは、ＲＯＭなどの記憶媒体に記憶されたプログラムによって、少なくともＥＶＤＯ通信部４１、切替制御部４２および起動状態制御部４３として機能する。この各部４１〜４３は、ＲＡＭの所要のワークエリアを、データの一時的な格納場所として利用する。
【００２２】
１ｘ通信部３１は、１ｘ方式により１本の共用アンテナ２３を用いて無線通信にて図示しない基地局とデータ送受信および音声データの送受信を行う。また、１ｘ通信部３１は、ＥＶＤＯ通信部４１と現在の互いの通信状況（通信中であるか否かなど）を通知可能に構成される。
【００２３】
切替制御部３２は、１ｘ通信部３１に制御されて切替部２５の電気的接続の切り替えを制御する。たとえば、１ｘ通信部３１が１ｘ通信を開始する場合、１ｘ通信部３１は切替制御部３２を介して切替部２５を制御して共用アンテナ２３と１ｘ通信部３１とを接続させる（図２の切替部２５の「１」参照）。
【００２４】
起動状態制御部３３は、１ｘ通信制御部２１の起動状態を複数の状態のいずれかで制御する。以下の説明では、起動状態制御部３３が、ＣＰＵがスリープする「システムスリープ状態」と、ＣＰＵは起動される（システムはＯＮである）ものの１ｘ通信部３１がスリープする「システムアイドル状態（ＣＰＵはＯＮで１ｘ通信部３１はスリープの状態）」と、１ｘ通信制御部２１の全てのコンポーネントが起動する「通常起動状態」と、の３つの状態で１ｘ通信制御部２１の起動状態を制御する場合の例について示す。
【００２５】
ＥＶＤＯ通信部４１は、ＥＶＤＯ方式により共用アンテナ２３およびＥＶＤＯ用アンテナ２４の２本のアンテナを用いて無線通信にて図示しない基地局とダイバーシティ方式でデータ送受信を行う。なお、ＥＶＤＯ通信部４１は、データ送信を伴わずデータ受信のみを行う場合には、１本のアンテナ（ＥＶＤＯ用アンテナ２４）により無線通信することができる。ＥＶＤＯ通信部４１は、１ｘ通信部３１と現在の互いの通信状況（通信中であるか否かなど）を通知可能に構成される。
【００２６】
切替制御部４２は、ＥＶＤＯ通信部４１に制御されて切替部２５の電気的接続の切り替えを制御する。たとえば、ＥＶＤＯ通信部４１がＥＶＤＯ通信を開始する場合、ＥＶＤＯ通信部４１は切替制御部４２を介して切替部２５を制御して共用アンテナ２３とＥＶＤＯ通信部４１とを接続させる（図２の切替部２５の「２」参照）。
【００２７】
なお、以下の説明では、１ｘ通信部３１による無線通信がＥＶＤＯ通信部４１による無線通信よりも優先される場合の例について示す。この場合、ＥＶＤＯ通信部４１は、ＥＶＤＯ通信を開始する場合、まず１ｘ通信部３１の現在の通信状況を確認し、１ｘ通信部３１が現在通信中である場合は切替制御部２５に対して指示を出すことなく待機する。
【００２８】
起動状態制御部４３は、ＥＶＤＯ通信制御部２２の起動状態を複数の状態のいずれかで制御する。以下の説明では、起動状態制御部４３が、ＣＰＵがスリープする「システムスリープ状態」と、ＣＰＵは起動される（システムはＯＮである）もののＥＶＤＯ通信部４１がスリープする「システムアイドル状態」と、ＥＶＤＯ通信制御部２２の全てのコンポーネントが起動する「通常起動状態」と、の３つの状態でＥＶＤＯ通信制御部２２の起動状態を制御する場合の例について示す。
【００２９】
図３は、第１実施形態に係る携帯電話機１０の１ｘ通信制御部２１およびＥＶＤＯ通信制御部２２の起動状態と切替部２５の切替先との関係の一例を示す説明図である。図３には、１ｘ通信部３１による無線通信がＥＶＤＯ通信部４１による無線通信よりも優先される場合について示した。
【００３０】
図３において、「ＲＦスリープ」はシステムアイドル状態を示す。また、「ＲＸ」は受信中であることを示す。また、「ＲＸＴＸ」は送受信中であることを示す。また、「１」は切替部２５が共用アンテナ２３と１ｘ通信部３１とを接続した状態を、「２」は共用アンテナ２３とＥＶＤＯ通信部４１とを接続した状態を、それぞれ示す。また、「＊」は、切替部２５の接続先が１ｘ通信部３１およびＥＶＤＯ通信部４１のいずれでも構わないことを示す。
【００３１】
ＥＶＤＯ通信制御部２２の受信（ＲＸ）は、データ送信を伴わずデータ受信のみを行う場合であり、１本のアンテナ（ＥＶＤＯ用アンテナ２４）により無線通信することができる。一方、ＥＶＤＯ通信制御部２２のデータ送受信（ＲＸＴＸ）は、共用アンテナ２３およびＥＶＤＯ用アンテナ２４の２本のアンテナを用いて無線通信にて図示しない基地局とダイバーシティ方式でデータ送受信を行う。
【００３２】
図３に示す関係は、１ｘ通信部３１およびＥＶＤＯ通信部４１が協調して切替部２５を制御することにより実現される。
【００３３】
図３に示すように、１ｘ通信制御部２１が通常起動状態であり、１ｘ通信方式による受信（ＲＸ）または送信（ＴＸ）を行う場合は、共用アンテナ２３と１ｘ通信部３１とが接続される。一方、１ｘ通信制御部２１がシステムスリープ状態または１ｘ通信スリープ状態であり、かつＥＶＤＯ通信方式によるデータ送受信（ＲＸＴＸ）を行う場合は、共用アンテナ２３とＥＶＤＯ通信部４１とが接続される。
【００３４】
１台で複数の通信方式による通信を行うにあたり、通信方式ごとに無線制御装置を用いる場合には、１つの無線制御装置を用いる場合に比べて無線制御装置ごとに専用のアンテナを設ける必要が生じてしまい、アンテナの本数が増えてしまう。たとえば、１ｘ方式用の無線制御装置とＥＶＤＯ方式用の無線制御装置とを有する携帯電話機は、１ｘ方式用の１本アンテナと、ＥＶＤＯ方式用の２本のアンテナの計３本のアンテナが必要となる。
【００３５】
一方、本実施形態に係る携帯電話機１０の通信ユニット２０は、１ｘ通信部３１およびＥＶＤＯ通信部４１が共用する１本の共用アンテナ２３を備える。このため、携帯電話機１０の通信ユニット２０によれば、アンテナの総数を削減することができる。
【００３６】
また、携帯電話機１０などの携帯型の通信端末は、端末全体の小型化が望まれている。このため、通信ユニット２０の設置スペースも小面積化されることが望ましい。通信ユニット２０は、共用アンテナ２３を備えることにより、無線制御装置ごとに専用のアンテナを設ける場合に比べて設置面積を削減することができる。
【００３７】
また、端末全体の小型化により、筐体内に複数のアンテナが設置される場合にはアンテナ同士の干渉が生じやすい。本実施形態に係る携帯電話機１０は、共用アンテナ２３を備えることにより、無線制御装置ごとに専用のアンテナを設ける場合に比べて、アンテナ同士の干渉を解消することができる。
【００３８】
図４は、第１実施形態に係る携帯電話機１０の通信ユニット２０の変形例を示すブロック図である。
【００３９】
ＥＶＤＯ通信部４１により送受信されるデータは、１ｘ通信制御部２１によって処理されてもよい。この場合、１ｘ通信制御部２１は、たとえばＥＶＤＯ通信処理部３４を備える。このＥＶＤＯ通信処理部３４は、ＥＶＤＯ通信部４１からＥＶＤＯ通信部４１により受信されたデータを受信し、ＥＶＤＯ通信部４１により送受信されるデータの編集などの処理を行う。このＥＶＤＯ通信処理部３４は、ＥＶＤＯ通信部４１からＥＶＤＯ通信部４１により受信されたデータを受信可能なように、起動状態制御部３３により１ｘ通信制御部２１のシステムアイドル状態において起動可能に制御される。
（第２の実施形態）
【００４０】
図５は、第２実施形態に係る携帯電話機１０の通信ユニット２０Ａの一構成例を概略的に示すブロック図である。
【００４１】
本実施形態に係る携帯電話機１０は、１ｘ通信制御部２１のみが切替部２５の電気的接続の切り替えを行うことにより、切替部２５に対する電力供給の制御を可能とするものである。この第２実施形態に示す通信ユニット２０Ａは、１ｘ通信制御部２１がＥＶＤＯ通信処理部３４および切替電力制御部３５をさらに有する一方、ＥＶＤＯ通信制御部２２が切替制御部４２を有さない点で第１実施形態に示す携帯電話機１０と異なる。他の構成および作用については図１に示す携帯電話機１０と実質的に異ならないため、同じ構成には同一符号を付して説明を省略する。
【００４２】
図５に示すように、１ｘ通信制御部２１のＣＰＵは、ＲＯＭなどの記憶媒体に記憶されたプログラムによって、少なくとも１ｘ通信部３１、切替制御部３２、起動状態制御部３３、ＥＶＤＯ通信処理部３４および切替電力制御部３５として機能する。この各部３１〜３５は、ＲＡＭの所要のワークエリアを、データの一時的な格納場所として利用する。
【００４３】
また、ＥＶＤＯ通信制御部２２のＣＰＵは、ＲＯＭなどの記憶媒体に記憶されたプログラムによって、少なくともＥＶＤＯ通信部４１および起動状態制御部４３として機能する。この各部４１および４３は、ＲＡＭの所要のワークエリアを、データの一時的な格納場所として利用する。
【００４４】
切替制御部３２は、１ｘ通信部３１およびＥＶＤＯ通信処理部３４に制御されて切替部２５の電気的接続の切り替えを制御する。たとえば、１ｘ通信部３１が１ｘ通信を開始する場合、１ｘ通信部３１は切替制御部３２を介して切替部２５を制御して共用アンテナ２３と１ｘ通信部３１とを接続させる（図２の切替部２５の「１」参照）。また、ＥＶＤＯ通信処理部３４がＥＶＤＯ通信部４１のＥＶＤＯ方式によるデータの送受信を制御する場合、ＥＶＤＯ通信処理部３４は切替制御部３２を介して切替部２５を制御して共用アンテナ２３とＥＶＤＯ通信部４１とを接続させる（図２の切替部２５の「２」参照）。
【００４５】
１ｘ通信制御部２１の起動状態制御部３３は、システムスリープ状態であるときにＥＶＤＯ通信方式によるＥＶＤＯ通信部４１を用いたデータ送受信を行うべき旨の要求があると、起動状態をシステムアイドル状態へ移行する。この結果、ＥＶＤＯ通信処理部３４が起動する。なお、このＥＶＤＯ通信部４１を用いたデータ送受信の開始要求は、ユーザによりタッチパネル１１を介して行われてもよいし、携帯電話機１０とデータ送受信可能に接続された外部機器（カーキットなど）を介して自動的に行われてもよいし、基地局からの無線信号による指示（たとえば電子メールの着信を促す要求など）であってもよい。
【００４６】
ＥＶＤＯ通信処理部３４は、ＥＶＤＯ通信部４１によるデータの送受信を制御する。また、ＥＶＤＯ通信処理部３４は、ＥＶＤＯ通信部４１からＥＶＤＯ通信部４１により受信されたデータを受信し、ＥＶＤＯ通信部４１により送受信されるデータの編集などの処理を行う。
【００４７】
切替電力制御部３５は、１ｘ通信制御部２１がシステムスリープ状態であると切替電源２６から切替部２５に対する電力供給を停止させ、システムアイドル状態および通常起動状態であると電力供給を行うよう切替電源２６を制御する
【００４８】
図６は、第２実施形態に係る携帯電話機１０の１ｘ通信制御部２１およびＥＶＤＯ通信制御部２２の起動状態と切替部２５の切替先との関係の一例を示す説明図である。
【００４９】
図６に示すように、本実施形態に係る携帯電話機１０の通信ユニット２０Ａにおいては、１ｘ通信制御部２１がシステムスリープ状態であるときにＥＶＤＯ通信制御部２２によりデータ送受信（ＲＸＴＸ）が行われる場合はない。これは、システムスリープ状態であるときにＥＶＤＯ通信方式によるＥＶＤＯ通信部４１を用いたデータ送受信を行うべき旨の要求があると、起動状態制御部３３によって１ｘ通信制御部２１の起動状態がシステムアイドル状態へ移行するためである。
【００５０】
本実施形態に係る携帯電話機１０によっても、第１実施形態に示した携帯電話機１０と同様の作用効果を奏する。
【００５１】
また、本実施形態に係る携帯電話機１０の通信ユニット２０Ａは、１ｘ通信制御部２１が切替部２５の電力を制御することにより、第１実施形態に係る携帯電話機１０よりも消費電力を削減することができる。
【００５２】
なお、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００５３】
たとえば、上記実施形態では、１ｘ通信部３１とＥＶＤＯ通信部４１とが現在の互いの通信状況（通信中であるか否かなど）を通知可能に構成されて切替制御部３２および４２によって切替部２５が制御される場合の例について示したが、切替部２５の制御方法はこの例に限られない。たとえば、切替部２５は、１ｘ通信制御部２１のＣＰＵがＯＮの場合（１ｘ通信制御部２１がシステムアイドル状態および通常起動状態の場合）は共用アンテナ２３と１ｘ通信部３１とを接続し、１ｘ通信制御部２１のＣＰＵがスリープの場合（１ｘ通信制御部２１がシステムスリープ状態の場合）は共用アンテナ２３とＥＶＤＯ通信部４１とを接続するよう構成されてもよい。この場合、切替部２５は１ｘ通信制御部２１のＣＰＵがＯＮか否かを示す信号によって電気的接続の切り替えを制御されることになる。
【符号の説明】
【００５４】
１０  携帯電話機
２１  １ｘ通信制御部
２２  ＥＶＤＯ通信制御部
２３  共用アンテナ
２４  ＥＶＤＯ用アンテナ
２５  切替部
２６  切替電源
３１  １ｘ通信部
３２  切替制御部
３３  起動状態制御部
３４  ＥＶＤＯ通信処理部
４１  ＥＶＤＯ通信部
【図１】
2012060393.tif 000003
【図２】
2012060393.tif 000004
【図３】
2012060393.tif 000005
【図４】
2012060393.tif 000006
【図５】
2012060393.tif 000007
【図６】
2012060393.tif 000008